(57)【要約】【課題】洗濯機の外箱内での狭い設置スペースにも配置できる小型の基板ボックスを備える洗濯機を提供する。【解決手段】洗濯機（１）は、外箱（１００）と、外箱（１００）内に配置された水槽（４）と、外箱外箱（１００）と水槽（４）との間に配置された基板ボックス（６０）とを備え、基板ボックス（６０）が、回路部品（８２）を搭載した回路基板（６８）と、回路基板（６８）を覆う基板ケース（６４）と、回路部品（８２）を冷却する冷却ファン（８０）と、冷却ファン（８０）が取り付けられるファン取付部（７０）とを有し、ファン取付部（７０）が、少なくとも冷却ファン（８０）と回路基板（６８）との間で延在して、冷却ファン（８０）が、回路基板（６８）または回路部品（８２）に対して基板ボックス（６０）の高さ方向に離間して配設されている。【選択図】図６
2019042334.tif 000002
【特許請求の範囲】
【請求項１】
外箱と、
前記外箱内に配置された水槽と、
前記外箱と前記水槽との間に配置された基板ボックスとを備え、
前記基板ボックスが、
回路部品を搭載した回路基板と、
回路基板を覆う基板ケースと、
前記回路部品を冷却する冷却ファンと、
前記冷却ファンが取り付けられるファン取付部とを有し、
前記ファン取付部が、少なくとも前記冷却ファンと前記回路基板との間で延在して、前記冷却ファンが、前記回路基板または前記回路基板に搭載された前記回路部品に対して前記基板ボックスの高さ方向に離間して配設されていることを特徴とする洗濯機。
【請求項２】
請求項１に記載の洗濯機において、
前記ファン取付部が、前記回路基板に固定される支持部を有することを特徴とする洗濯機。
【請求項３】
請求項１に記載の洗濯機において、
前記基板ボックスが、前記回路基板を支持するベース体をさらに有し、
前記ベース体には、前記冷却ファンまで延びる取付ボス部が形成されるとともに、前記回路基板には、前記取付ボス部を挿通するためのボス穴が形成されて、
前記取付ボス部は、前記ボス穴を介して前記冷却ファンに固定されることによって、前記ファン取付部として働くことを特徴とする洗濯機。
【請求項４】
請求項１から請求項３までのいずれか１つに記載の洗濯機において、
前記ファン取付部には、前記ファン取付部に取り付けられた前記冷却ファンの周囲であり且つ前記冷却ファンの高さよりも高く延びる固定ボス部が形成されており、
前記基板ケースが、前記固定ボス部を介して前記ファン取付部に固定されていることを特徴とする洗濯機。
【請求項５】
請求項１から請求項４までのいずれか１つに記載の洗濯機において、
前記ファン取付部には、前記回路基板の上で引き回される配線を結束して固定するための結束固定部が設けられていることを特徴とする洗濯機。
【請求項６】
請求項１から請求項５までのいずれか１つに記載の洗濯機において、
前記洗濯機がドラム式洗濯機であって、
前記基板ボックスが、前記ドラム式洗濯機の外箱内での内側上部に配設されることを特徴とする洗濯機。
【発明の詳細な説明】
【技術分野】
【０００１】
この発明は、洗濯機に関する。
【背景技術】
【０００２】
従来、洗濯機の外箱内には基板ボックスが設けられており、該基板ボックスが、洗濯機の運転を制御するための回路基板と、回路基板が取り付けられるベース体と、回路基板を覆う基板ケースと、回路基板に搭載された回路部品を冷却するための冷却ファンとを有するものがある(例えば、特許文献１を参照)。
【先行技術文献】
【特許文献】
【０００３】
【特許文献１】特開２０１３−８５８６８号公報
【発明の概要】
【発明が解決しようとする課題】
【０００４】
上記従来の洗濯機では、ベース体と基板ケースとを組み合わせることによって、基板ボックスが組み立てられるが、回路基板がベース体に取り付けられるとともに、冷却ファンが基板ケースに取り付けられている。すなわち、冷却ファンと回路基板とが、異なる部材に取り付けられている。このとき、冷却ファンが、回路部品に対して上下方向に対向して、すなわち、冷却ファンおよび回路部品が、基板ボックスの高さ方向に並んで配置されている。
【０００５】
冷却ファンが基板ケースに取り付けられた構成では、冷却ファンが作動すると、冷却ファンの送風によって、基板ケースの撓みが発生する。冷却ファンを回路部品に近づけた配置にすると、基板ケースの撓みによって、冷却ファンが、回路部品と干渉するおそれがある。このことを防止するため、冷却ファンを回路部品から離した構成すなわち基板ケースをベース体から離した構成にする必要があり、基板ボックスの高さが高くなってしまう。また、基板ボックスを組み立てるときの組立公差を考慮して、冷却ファンを回路部品から離して配置する必要があるので、基板ボックスの高さが高くなってしまう。このように、冷却ファンが基板ケースに取り付けられた構成では、基板ボックスの高さが高くなるので、基板ボックスの小型化が困難であり、洗濯機の外箱内での狭い設置スペースに基板ボックスを配置することができず、基板ボックスの設置の自由度が低いという問題がある。
【０００６】
そこで、この発明の課題は、洗濯機の外箱内での狭い設置スペースにも配置できる小型の基板ボックスを備える洗濯機を提供することにある。
【課題を解決するための手段】
【０００７】
上記課題を解決するため、この発明の一態様に係る洗濯機は、
外箱と、
前記外箱内に配置された水槽と、
前記外箱と前記水槽との間に配置された基板ボックスとを備え、
前記基板ボックスが、
回路部品を搭載した回路基板と、
回路基板を覆う基板ケースと、
前記回路部品を冷却する冷却ファンと、
前記冷却ファンが取り付けられるファン取付部とを有し、
前記ファン取付部が、少なくとも前記冷却ファンと前記回路基板との間で延在して、前記冷却ファンが、前記回路基板または前記回路基板に搭載された前記回路部品に対して前記基板ボックスの高さ方向に離間して配設されていることを特徴とする。
【発明の効果】
【０００８】
この発明によれば、基板ボックスにおいて、冷却ファンが、回路基板側において、回路基板または回路部品に対して基板ボックスの高さ方向に並んで配設されている。冷却ファンが、ファン取付部によって取り付けられているので、冷却ファンによる送風の影響を受けにくく、冷却ファンと回路部品との間隔が安定している。したがって、冷却ファンを回路部品に近づけることすなわち基板ケースを回路基板に近づけることができるので、基板ボックスを小型化できる。それにより、洗濯機の外箱内での狭い設置スペースに基板ボックスを配置することができ、基板ボックスの設置の自由度が高くなる。
【図面の簡単な説明】
【０００９】
【図１】第１実施形態に係る洗濯機の一例としてのドラム式洗濯乾燥機の斜視図である。
【図２】図１に示したドラム式洗濯乾燥機のドアを開けた状態の斜視図である。
【図３】図１に示したドラム式洗濯乾燥機から上面部を取り外したときの上枠体の上面図である。
【図４】基板ボックスの斜視図である。
【図５】基板ボックスの平面図である。
【図６】基板ボックスから第一の基板ケースを取り外したときの斜視図である。
【図７】基板ボックスから第一の基板ケースを取り外したときの平面図である。
【図８】図５に示した基板ボックスのVIII−VIII線に沿った断面図である。
【図９】図５に示した基板ボックスのIX−IX線に沿った断面図である。
【図１０】ファン取付体の平面図である。
【図１１】第２実施形態に係る洗濯機の基板ボックスでの支持部の構成を説明する図である。
【図１２】第３実施形態に係る洗濯機の基板ボックスでの支持部の構成を説明する図である。
【発明を実施するための形態】
【００１０】
以下、この発明に係る洗濯機を図示の実施の形態により詳細に説明する。
【００１１】
〔第１実施形態〕
図１は、第１実施形態の洗濯機の一例としてのドラム式洗濯乾燥機１の斜視図を示している。図１において、１０１は上面部、１０２は排水フィルタ用ドア、１０３は前面部、１０４は後面部、１０５は側板部、１０６は底台である。
【００１２】
このドラム式洗濯乾燥機１は、図１に示すように、外箱１００と、外箱１００の開口部１００ａ(図２に示す)を開閉するドア５０と、外箱１００の内部に配置された水槽４(図２に図示)と、その水槽４内に回転可能に配置された回転ドラム３(図２に示す)を備える。
【００１３】
また、外箱１００の上面部１０１の左後面側には、給水口１０が設けられている。また、外箱１００の上面部１０１の右後面側には、気流フィルタ装置３０が装着されている。気流フィルタ装置３０には、循環経路を循環する気流に含まれる糸屑を取り除く糸屑フィルタが装着されている。また、外箱１００の上面部１０１の右前面側には、電源ボタン３１が設けられている。さらに、外箱１００の上面部１０１の左上側には、洗剤ケース１１が装着されている。
【００１４】
ドア５０は、正面視で略四角形状のドア本体部５１と、ドア本体部５１の上部から後方に傾斜するように設けられたドア傾斜部５２とを備える。このドア５０のドア傾斜部５２には、運転動作を選択して指示入力すると共に運転状態を表示する表示操作部５４が設けられている。
【００１５】
図２は、ドラム式洗濯乾燥機１のドア５０を開けた状態の斜視図を示している。図２において、図１に示すドラム式洗濯乾燥機１と同一の構成部には同一参照番号を付している。
【００１６】
ドラム式洗濯乾燥機１の外箱１００は、図２に示すように、上面部１０１と、前面部１０３と、後面部１０４と、一対の側板部１０５(図２では一方を示す)と、底台１０６とによって構成されている。
【００１７】
外箱１００の前面部１０３は、第１平面部１０３ａと、第１平面部１０３ａの上側に延在する上傾斜部１０３ｂと、第１平面部１０３ａの下側に延在する第２平面部１０３ｃとを有する。
【００１８】
上記前面部１０３には、洗濯物の出し入れに使用される開口部１００ａが設けられている。上記前面部１０３の開口部１００ａの周縁には、環状部材１７が設けられている。
【００１９】
また、前面部１０３の前面側には、開口部１００ａを開閉するためのドア５０が、上下方向に離間した２つのヒンジ部４０で回動可能に取り付けられている。
【００２０】
また、ドア５０の後面側には、ユーザーによって操作されるロック解除部５３が設けられている。ロック解除部５３は、ドア５０の厚み方向の前側にスライド移動することにより、ドア５０のロック解除を行う機能を有する。係合爪５７は、ロック解除部５３の動きに連動するように構成されている。
【００２１】
ドア５０が閉められた状態で、ユーザーの操作によりロック解除部５３がドア５０の厚み方向の前側にスライド移動すると、係合爪５７が非係合側に移動することにより被係合部２０に対する係合爪５７の係合が解除されて、ドア５０が開放される。また、ドア５０を開いた状態から閉じた状態にすると、ドア５０の係合爪５７が外箱１００の被係合部２０に係合する。
【００２２】
環状部材１７と外箱１００の開口部１００ａの周縁部分とで、ゴムや軟質樹脂等の弾性体から成るパッキン１８を挟んで保持している。これにより、ドア５０を閉じると、ドア５０に取り付けられた円錐台形状のガラス製の窓部材５６がパッキン１８に密着して、回転ドラム３を収容する水槽４において、水密性かつ気密性が保たれ、水槽４内の液体が水槽の外へ漏れ出ることを防止できる。
【００２３】
また、外箱１００内に配置された水槽４および回転ドラム３は、ドア５０側に開口しており、ドア５０を開くことにより外箱１００の開口部１００ａを介して回転ドラム３内に洗濯物(図示せず)を出し入れできる。
【００２４】
また、上記ドラム式洗濯乾燥機１は、外箱１００内の後面側かつ下部に配置された乾燥用のヒートポンプユニット(図示せず)と、該ヒートポンプユニットによって水槽４内の空気を加熱して加熱された空気を循環させるための循環経路(図示せず)とを備えている。
【００２５】
また、外箱１００の第２平面部１０３ｃの左下側には、排水フィルタ用ドア１０２が開閉可能に取り付けられている。この排水フィルタ用ドア１０２を開いて、外箱１００内の下側に装着された糸屑フィルタ(図示せず)を交換する。
【００２６】
上記構成のドラム式洗濯乾燥機１では、表示操作部５４(図１に示す)から運転コースの選択や各工程の時間設定などが入力されると、その選択情報や設定情報が入力された制御装置(図示せず)によって、例えば洗濯から乾燥までの一連の動作を実行する。
【００２７】
図３は、図１に示したドラム式洗濯乾燥機１から上面部１０１を取り外したときの上枠体３５の上面図を示している。上枠体３５には、例えば、洗剤ケース１１と基板ボックス６０とが配設されている。すなわち、基板ボックス６０は、ドラム式洗濯乾燥機１の外箱１００内の内側上部であって、外箱１００の上面部１０１と上枠体３５との間で形成される、高さの低い狭い設置スペースに配設されている。
【００２８】
図４は、基板ボックス６０の斜視図であり、図５は、基板ボックス６０の平面図である。
【００２９】
図４および図５に示すように、基板ボックス６０は、ベース体６２と、第一の基板ケース６４と、第二の基板ケース６６と、回路基板６８（図６などに図示）とを有する。
【００３０】
ベース体６２は、回路基板６８を支持する板状体であり、樹脂などの電気絶縁材料からなる。ベース体６２は、第一の基板ケース６４の側および第二の基板ケース６６の側の各周縁部において、ガイド溝６３をそれぞれ有する。各ガイド溝６３は、第一の基板ケース６４および第二の基板ケース６６の各終端部の配置をガイドするように構成されている。
【００３１】
第一の基板ケース６４および第二の基板ケース６６は、金属部材を所望形状に板金加工したものである。第一の基板ケース６４は、ベース体６２で支持された回路基板６８を覆うケース蓋である。第二の基板ケース６６は、ベース体６２のうち、回路基板６８の反対側を覆うケース蓋である。第一の基板ケース６４の上面には、第一の基板ケース６４を貫通する排気口６５が形成されている。排気口６５は、冷却ファン８０の上方に設けられている。第一の基板ケース６４の側面には、第一の基板ケース６４を貫通する吸気口６９が形成されている。吸気口６９は、後述する放熱板８４の側方近傍に設けられている。なお、冷却ファン８０による送風の流れ方向を逆にして、排気口６５を吸気口として使用するとともに、吸気口６９を排気口として使用することもできる。
【００３２】
排気口６５の周囲には、ねじ止め用の貫通穴（図示しない）が複数個形成されている。ねじ止め用の貫通穴は、後述するファン取付体７０の固定ボス部７７（図６などに図示）に対応する位置に配設されている。第一の基板ケース６４は、固定ボス部７７に対して、ケース固定ねじ８８で固定されている。基板ケース６４が、固定ボス部７７を介してファン取付体７０に固定されているため基板ケース６４が振動しにくくなっているので、冷却ファン８０の送風に伴う、第一の基板ケース６４の振動音の発生を防止できる。
【００３３】
図６は、基板ボックス６０から第一の基板ケース６４を取り外したときの斜視図である。図７は、基板ボックス６０から第一の基板ケース６４を取り外したときの平面図である。図８は、図５に示した基板ボックス６０のVIII−VIII線に沿った断面図である。図９は、図５に示した基板ボックス６０のIX−IX線に沿った断面図である。図１０は、ファン取付体７０の平面図である。
【００３４】
図６および図７に示すように、基板ボックス６０から第一の基板ケース６４を取り外すと、基板ボックス６０内に収納されている回路基板６８が現れる。回路基板６８は、ドラム式洗濯乾燥機１の様々な運転を制御するための各種制御回路を備える。回路基板６８は、例えば、ガラスエポキシ基板に配線パターンが印刷されたプリント基板である。回路基板６８には、各種制御回路を構成する様々な回路部品８２が搭載されている。回路部品８２は、例えば、コンデンサ、抵抗、ダイオード、トランジスタ、リレー、コイル、電源トランス、スイッチング素子、パワーモジュールなどである。
【００３５】
図８および図９に示すように、回路基板６８に搭載された回路部品のうち、発熱性の回路部品９２（例えば、インテリジェント・パワー・モジュール（Intelligent Power Module:略してIPM））の上には、冷却フィンを有する放熱板８４が取り付けられている。放熱板８４を備える発熱性の回路部品９２は、回路基板６８の側方側に配設されている。放熱板８４の冷却フィンは、回路基板６８の直交方向に（上下方向に）延びている。後述する冷却ファン８０による風が、放熱板８４の周辺では、回路基板６８に沿って流れる。
【００３６】
図６から図９に示すように、回路基板６８の上には、ファン取付体７０と、ファン取付体７０に取り付けられた冷却ファン８０とが配設されている。冷却ファン８０およびファン取付体７０は、例えば、回路基板６８の大略中央部分に配設される。冷却ファン８０は、羽根および駆動モータを有する軸流ファンであるが、羽根および駆動モータの図示を省略して、枠体だけを図示している。枠体は、平面視で方形形状をしている。枠体の各コーナー部には、ファン貫通穴９１が形成されている。ファン貫通穴９１は、ファン取付体７０に対する位置決めまたは固定のために使用される。また、後述するように、ファン貫通穴９１は、取付ボス部８３に対する位置決めまたは固定のために使用される。冷却ファン８０は、軸流の風を発生して、発熱性の回路部品９２から発生した熱を基板ボックス６０の外に排出して、基板ボックス６０内が昇温するのを防止する。
【００３７】
図６から図１０を参照しながら、ファン取付体７０について説明する。
【００３８】
ファン取付部の一例として働くファン取付体７０は、ファン搭載部７１と支持部７２とを有する。ファン搭載部７１は、図１０に示すように平面視で方形形状をしている。支持部７２は、図８および図９に示すように、回路基板６８に向けて延びて回路基板６８に固定するための支持脚である。ファン取付体７０は、例えば樹脂の成形体であり、ファン搭載部７１と支持部７２とが一体化されることによって形成されている。
【００３９】
図１０に示すように、ファン搭載部７１の中央部には、通気穴７９が形成されている。通気穴７９によって、冷却ファン８０によって発生した軸流の風が、冷却ファン８０の周囲では上下方向に（回路基板６８の直交方向に）流れることができる。ファン搭載部７１のコーナー部よりも内側部分には、盛り上がった隆起部７３が形成されている。隆起部７３は、上方に突出する係合ボス、または、係合穴を有する。係合ボスを有する隆起部７３は、係合ボスが冷却ファン８０のファン貫通穴９１に係合することによって、冷却ファン８０を位置決めするために使用される。係合ボスを有する隆起部７３は、例えば、左上および右下のコーナー部にそれぞれ位置する。係合穴を有する隆起部７３は、ファン貫通穴９１に挿通したねじによって、冷却ファン８０を固定するために使用される。係合穴を有する隆起部７３は、例えば、右上のコーナー部に位置する。
【００４０】
例えば、ファン搭載部７１の左下のコーナー部には、ファン係止部７８が形成されている。ファン係止部７８は、上方に延びる板状部であり、その上端に係止ツメを有する。ファン係止部７８は、冷却ファン８０の側面に当接するとともに、係止ツメが冷却ファン８０の上端部に係合することによって、冷却ファン８０を位置決めし且つ係止する。
【００４１】
例えば、ファン搭載部７１の左上および右下のコーナー部のそれぞれには、固定ボス部７７が形成されている。各固定ボス部７７は、ファン搭載部７１に取り付けられた冷却ファン８０の高さを超える高さで上方に延びている。各固定ボス部７７には、ねじ止めするためのねじ穴が形成されている。固定ボス部７７のねじ穴に対してケース固定ねじ８８を螺合させることによって、第一の基板ケース６４がねじで固定される。
【００４２】
回路基板６８の側には、冷却ファン８０付きのファン取付体７０と、回路基板６８の上で引き回される複数の配線９５とが、配設されている。そこで、例えば、ファン搭載部７１の上側部および右側部のそれぞれには、結束固定部７５が形成されている。各結束固定部７５は、回路基板６８の上で引き回される配線９５（図７に図示）を結束する結束バンドを固定するための係合部である。また、例えば、ファン搭載部７１の左側部には、結束フック７６が形成されている。結束フック７６は、冷却ファン８０の配線９５を結束するために設けられている。支持部７２によって回路基板６８とファン搭載部７１との間には作業スペースが形成されて、回路基板６８から離間したファン搭載部７１に対して結束固定部７５が設けられているので、配線９５の結束作業が容易になる。配線９５を結束固定部７５や結束フック７６で予め結束して固定することによって、冷却ファン８０に対する配線９５の干渉防止が確実になるとともに、配線９５の取り回しが容易になる。
【００４３】
ファン搭載部７１の各コーナー部近傍の側面での外側部分には、支持部７２が形成されている。図示した例では、４つの支持部７２が形成されている。第１実施形態に示した支持部７２は、ファン搭載部７１から回路基板６８まで延びる支持脚である。すなわち、ファン取付体７０においては、支持部７２が、ファン搭載部７１と回路基板６８との間で延在している。言い換えれば、ファン取付部としてのファン取付体７０が、冷却ファン８０と回路基板６８との間で延在している。例えば、左上、左下および右上のそれぞれのコーナー部に位置する３つの支持部７２は、回路基板６８側の端部において、基板係止ツメ８１を有する。基板係止ツメ８１が回路基板６８に形成された基板係止穴（図示しない）と係合することによって、ファン取付体７０が回路基板６８に固定される。
【００４４】
また、例えば、右下のコーナー部に位置する支持部７２は、回路基板６８側の端部において、鍔部７４を有する。鍔部７４には、貫通穴が形成されている。鍔部７４の貫通穴に対応するように、回路基板６８にも、貫通穴（図示しない）が形成されている。両方の貫通穴に対応するように、ベース体６２のボス（図示しない）には、ねじ穴（図示しない）が形成されている。取付体固定ねじが、鍔部７４および回路基板６８の各貫通穴に挿通されるとともに、ベース体６２のボスのねじ穴と螺合するように構成されている。これにより、鍔部７４を有する支持部７２と、回路基板６８とが、ベース体６２に対して共締めで固定される。
【００４５】
このように、冷却ファン８０が取り付けられたファン搭載部７１が、固定基板６８に固定された支持部７２によって支持されている。言い換えれば、冷却ファン８０が、ファン取付部としてのファン取付体７０によって取り付けられているので、冷却ファン８０による送風の影響を受けにくく、冷却ファン８０と回路部品８２との間隔が安定している。したがって、冷却ファン８０を回路部品８２に近づけることすなわち基板ケース６４を回路基板６８に近づけることができる。また、ファン取付体７０を回路基板６８上に配置した上で支持部７２を回路基板６８に固定することによって、ファン取付体７０を回路基板６８に取り付けることができるので、回路基板６８に対するファン取付体７０の取付が簡単である。
【００４６】
回路基板６８には、非発熱性の回路部品８２および発熱性の回路部品９２が搭載されている。当該回路部品８２，９２を搭載した回路基板６８に対して、冷却ファン８０付きのファン取付体７０が回路基板６８に固定される。そのあと、ウレタン樹脂をポッティングすることによって、回路基板６８の防水・防湿対策が施される。また、ウレタン樹脂のポッティングによって、ファン取付体７０の支持部７２と回路基板６８との間での固定が補強される。
【００４７】
冷却ファン８０が取り付けられた支持部７２の直下には、非発熱性であり且つ高さの低い回路部品８２が、配置されるかまたは配置されない。支持部７２の直下において、このような回路部品８２が配置される場合、冷却ファン８０が、回路基板６８に搭載された回路部品８２に対して基板ボックス６０の高さ方向（上下方向）に離間して対面するように配設されている。支持部７２の直下において、このような回路部品８２が配置されていない場合、冷却ファン８０が、回路基板６８に対して基板ボックス６０の高さ方向（上下方向）に離間して対面するように配設されている。
【００４８】
放熱板８４付きの発熱性の回路部品９２の上に、冷却ファン８０付きのファン取付体７０を配設することも当然に可能であるが、当該部分での基板ボックス６０の高さが非常に高くなってしまう。非発熱性の回路部品８２には、放熱板８４が取り付けられることがないため、冷却ファン８０付きのファン取付体７０を配設しても、当該部分での基板ボックス６０の高さが高くなることはない。したがって、基板ボックス６０を小型化できる。
【００４９】
ファン取付部としてのファン取付体７０が、冷却ファン８０と回路基板６８との間で延在して、冷却ファン８０が、回路基板６８側において、回路基板６８または回路部品８２に対して基板ボックス６０の高さ方向（上下方向）に並んで配設されている。冷却ファン８０が、ファン取付体７０によって取り付けられているので、冷却ファン８０による送風の影響を受けにくく、冷却ファン８０と回路部品８２との間隔が安定している。したがって、冷却ファン８０を回路部品８２に近づけることすなわち基板ケース６４を回路基板６８に近づけることができるので、基板ボックス６０を小型化できる。それにより、洗濯機１の外箱１００内の狭い設置スペースに基板ボックス６０を配置することができ、基板ボックス６０の設置の自由度が高くなる。
【００５０】
上述したように、回路基板６８の側には、冷却ファン８０付きのファン取付体７０と、回路基板６８の上で引き回される複数の配線９５とが、配設されている。冷却ファン８０および配線９５が、同じ部材（すなわち回路基板６８）の側にあるので、冷却ファン８０が回路基板６８上の配線９５と干渉しないように配線９５を予め位置決めすることが容易である。また、結束固定部７５および／または結束フック７６によって配線９５を結束してファン取付体７０のファン搭載部７１に固定できる。
【００５１】
また、冷却ファン８０と配線９５とが異なる部材に配設された構成では、冷却ファン８０が配線９５と干渉しないようにしながら基板ボックス６０を組み立てるという煩雑な作業を行うことを要するため、基板ボックス６０の組立作業性が悪い。これに対して、冷却ファン８０および配線９５が、同じ部材（すなわち回路基板６８）の側にある構成では、配線９５を予め位置決めした上で、組立作業を行うことができるので、配線９５の隔離スペースも不要であるため基板ボックス６０を小型化できるとともに、基板ボックス６０の組立作業性が良好である。
【００５２】
したがって、上記第１実施形態のドラム式洗濯乾燥機１によれば、基板ボックス６０において、冷却ファン８０が、回路基板６８側において、回路基板６８または回路部品８２に対して基板ボックス６０の高さ方向に並んで配設されている。冷却ファン８０が、ファン取付部としてのファン取付体７０によって取り付けられているので、冷却ファン８０による送風の影響を受けにくく、冷却ファン８０と回路部品８２との間隔が安定している。したがって、冷却ファン８０を回路部品８２に近づけることすなわち基板ケース６４を回路基板６８に近づけることができるので、基板ボックス６０を小型化できる。それにより、洗濯機１の外箱１００内の狭い設置スペースに基板ボックス６０を配置することができ、基板ボックス６０の設置の自由度が高くなる。そして、ドラム式洗濯乾燥機１の高さを抑制できる。
【００５３】
〔第２実施形態〕
第２実施形態に係る洗濯機の一例としてのドラム式洗濯乾燥機は、ファン取付体７０、回路基板６８のボス穴８６およびベース体６２の取付ボス部８３を除いて、第１実施形態のドラム式洗濯乾燥機１と同一の構成をしている。
【００５４】
第１実施形態のドラム式洗濯乾燥機１では、ファン取付体７０がファン搭載部７１および支持部７２を有し、ファン搭載部７１および支持部７２によって、冷却ファン８０が、回路基板６８または回路基板６８に搭載された回路部品８２に対して離間して配設されるように構成されていた。これに対して、この第２実施形態のドラム式洗濯乾燥機では、図１１に示すように、ベース体６２が取付ボス部８３を有し、取付ボス部８３によって、冷却ファン８０が、回路基板６８または回路基板６８に搭載された回路部品８２に対して離間して配設されている。
【００５５】
すなわち、ベース体６２には、少なくとも３つの、好ましくは４つの取付ボス部８３が形成されている。取付ボス部８３のそれぞれは、ベース体６２から冷却ファン８０の下面まで延びている。例えば、左下および右上の取付ボス部８３の上端部のそれぞれには、ねじ穴８３ａが形成されている。また、右下の取付ボス部８３の上部には、位置決め用の突起部が形成されている。冷却ファン８０には、ねじ穴８３ａおよび位置決め用の突起部のそれぞれに対応するファン貫通穴９１が形成されている。回路基板６８には、各取付ボス部８３を挿通するためのボス穴８６が形成されている。各取付ボス部８３は、回路基板６８のボス穴８６にそれぞれ挿通される。そして、ねじ穴８３ａを有する取付ボス部８３は、冷却ファン８０の下面に当接してねじ８５で固定されている。また、突起部を有する取付ボス部８３によって冷却ファン８０が位置決めされている。取付ボス部８３によって、冷却ファン８０が取付されているとともに支持されている。したがって、取付ボス部８３は、ファン取付部として働いている。
【００５６】
ファン取付部の一例として働く取付ボス部８３が、冷却ファン８０とベース体６２との間で、すなわち少なくとも冷却ファン８０と回路基板６８との間で延在して、冷却ファン８０が、回路基板６８または回路基板６８に搭載された回路部品８２に対して基板ボックス６０の高さ方向（上下方向）に離間して配設されている。したがって、上記第２実施形態のドラム式洗濯乾燥機は、第１実施形態のドラム式洗濯乾燥機１と同様の効果を有する。さらに、ファン取付部として働く取付ボス部８３を介して、冷却ファン８０がベース体６２に取り付けられているので、ベース体６２の取付ボス部８３に取り付けられた冷却ファン８０の振動が回路基板６８に伝わりにくくなり、回路基板６８の信頼性が向上する。
【００５７】
〔第３実施形態〕
第３実施形態に係る洗濯機の一例としてのドラム式洗濯乾燥機は、ファン取付体７０の支持部７２および回路基板６８のボス穴８６を除いて、第１実施形態のドラム式洗濯乾燥機１と同一の構成をしている。
【００５８】
第１実施形態のドラム式洗濯乾燥機１では、ファン取付体７０が支持部７２を有し、支持部７２が、ファン搭載部７１から回路基板６８まで延びるとともに、回路基板６８の上で固定されていた。これに対して、この第３実施形態のドラム式洗濯乾燥機では、図１２に示すように、ファン取付部として働くファン取付体７０が、支持部７２を有し、ファン取付体７０が、冷却ファン８０からベース体６２まで延びるとともに、支持部７２がベース体６２の上で固定されている。
【００５９】
すなわち、ファン取付部としてのファン取付体７０は、ファン搭載部７１からベース体６２まで延びる支持部７２を有する。回路基板６８には、当該支持部７２を挿通するためのボス穴８６が形成されている。支持部７２のベース体６２側の端部には、ねじ穴が形成されている。ベース体６２には、支持部７２の端部に形成されたねじ穴に対応する挿通穴が形成されている。支持部７２は、回路基板６８のボス穴８６に挿通されたあと、ベース体６２にベース固定ねじ８７で固定される。このような支持部７２によって、冷却ファン８０の取り付けられたファン搭載部７１が支持されている。また、ポッティングされるウレタン樹脂が、ベース体６２の挿通穴から漏れ出ることを防止するように、当該挿通穴をシール材で埋めること、あるいは、ベース体６２とベース固定ねじ８７のヘッド部との間にパッキンを介在配置して隙間を埋めることを行うことができる。
【００６０】
ファン取付体７０が、冷却ファン８０とベース体６２との間で、すなわち少なくとも冷却ファン８０と回路基板６８との間で延在して、冷却ファン８０が、回路基板６８または回路基板６８に搭載された回路部品８２に対して基板ボックス６０の高さ方向（上下方向）に離間して配設されている。したがって、上記第３実施形態のドラム式洗濯乾燥機は、第１実施形態のドラム式洗濯乾燥機１と同様の効果を有する。
【００６１】
また、上記第１実施形態から第３実施形態では、洗濯機としてドラム式洗濯乾燥機について説明したが、乾燥機能を有さないドラム式洗濯乾燥機、乾燥機能を有する縦型洗濯乾燥機、乾燥機能を有さない縦型洗濯機にこの発明を適用してもよい。
【００６２】
この発明の具体的な実施の形態について説明したが、この発明は上記第１実施形態から第３実施形態に限定されるものではなく、この発明の範囲内で種々変更して実施することができる。例えば、上記第１実施形態から第３実施形態で記載した内容を適宜に組み合わせたものを、この発明の一実施形態としてもよい。
【００６３】
この発明および実施形態をまとめると、次のようになる。
【００６４】
この発明の一態様に係る洗濯機は、
外箱１００と、
外箱１００内に配置された水槽４と、
外箱１００と水槽４との間に配置された基板ボックス６０とを備え、
基板ボックス６０が、
回路部品８２を搭載した回路基板６８と、
回路基板６８を覆う基板ケース６４と、
回路部品８２を冷却する冷却ファン８０と、
冷却ファン８０が取り付けられるファン取付部７０とを有し、
ファン取付部７０が、少なくとも冷却ファン８０と回路基板６８との間で延在して、冷却ファン８０が、回路基板６８または回路基板６８に搭載された前記回路部品８２に対して基板ボックス６０の高さ方向に離間して配設されていることを特徴とする。
【００６５】
上記構成によれば、基板ボックス６０において、冷却ファン８０が、回路基板６８側において、回路基板６８または回路部品８２に対して基板ボックス６０の高さ方向に並んで配設されている。冷却ファン８０が、ファン取付部７０によって取り付けられているので、冷却ファン８０による送風の影響を受けにくく、冷却ファン８０と回路部品８２との間隔が安定している。したがって、冷却ファン８０を回路部品８２に近づけること、すなわち、基板ケース６４を回路基板６８に近づけることができるので、基板ボックス６０を小型化できる。それにより、洗濯機１の外箱１００内の狭い設置スペースに基板ボックス６０を配置することができ、基板ボックス６０の設置の自由度が高くなる。
【００６６】
また、一実施形態の洗濯機では、
ファン取付部７０が、回路基板６８に固定される支持部７２を有する。
【００６７】
上記実施形態によれば、ファン取付部７０の支持部７２を回路基板６８に固定することによって、ファン取付部７０を回路基板６８に取り付けることができるので、回路基板６８に対するファン取付部７０の取付が簡単である。
【００６８】
また、一実施形態の洗濯機では、
基板ボックス６０が、回路基板６８を支持するベース体６２をさらに有し、
ベース体６２には、冷却ファン８０まで延びる取付ボス部８３が形成されるとともに、回路基板６８には、取付ボス部８３を挿通するためのボス穴８６が形成されて、
取付ボス部８３は、ボス穴８６を介して冷却ファン８０に固定されることによって、ファン取付部として働く。
【００６９】
上記実施形態によれば、ファン取付部として働く取付ボス部８３を介して、冷却ファン８０がベース体６２に取り付けられるので、ベース体６２の取付ボス部８３に取り付けられた冷却ファン８０の振動が回路基板６８に伝わりにくくなり、回路基板６８の信頼性が向上する。
【００７０】
また、一実施形態の洗濯機では、
ファン取付部７０には、ファン取付部７０に取り付けられた冷却ファン８０の周囲であり且つ冷却ファン８０の高さよりも高く延びる固定ボス部７７が形成されており、
基板ケース６４が、固定ボス部７７を介してファン取付部７０に固定されている。
【００７１】
上記実施形態によれば、基板ケース６４が、固定ボス部７７を介してファン取付部７０に固定されているため基板ケース６４が振動しにくくなっているので、冷却ファン８０の送風に伴う、基板ケース６４の振動音の発生を防止できる。
【００７２】
また、一実施形態の洗濯機では、
ファン取付部７０には、回路基板６８の上で引き回される配線９５を結束して固定するための結束固定部７５が設けられている。
【００７３】
上記実施形態によれば、ファン取付部７０によって回路基板６８と冷却ファン８０との間には作業スペースが形成されて、回路基板６８から離間したファン取付部７０に対して結束固定部７５が設けられているので、配線９５の結束作業が容易になる。また、例えば、結束バンドを使って配線９５を結束した場合に、配線９５が結束バンドを介して結束固定部７５に固定されるので、冷却ファン８０に対する配線９５の干渉防止が確実になるとともに、配線９５の取り回しが容易になる。
【００７４】
また、一実施形態の洗濯機では、
洗濯機がドラム式洗濯機であって、
基板ボックス６０が、ドラム式洗濯機の外箱１００内での内側上部に配設される。
【００７５】
上記実施形態によれば、ドラム式洗濯機の外箱１００内での内側上部に形成される、高さが低くて狭い設置スペースに基板ボックス６０が配設できるので、基板ボックス６０の設置の自由度が高くなる。
【符号の説明】
【００７６】
１…ドラム式洗濯乾燥機（洗濯機）
３…回転ドラム
３ａ…回転ドラム開口部
４…水槽
１０…給水口
１１…洗剤ケース
１７…環状部材
１８…パッキン
２０…被係合部
３０…気流フィルタ装置
３１…電源ボタン
３５…上枠体
４０…ヒンジ部
５０…ドア
５１…ドア本体部
５２…ドア傾斜部
５３…ロック解除部
５４…表示操作部
５６…窓部材
５７…係合爪
６０…基板ボックス
６２…ベース体
６３…ガイド溝
６４…第一の基板ケース
６５…排気口
６６…第二の基板ケース
６８…回路基板
６９…吸気口
７０…ファン取付体（ファン取付部）
７１…ファン搭載部
７２…支持部
７３…隆起部
７４…鍔部
７５…結束固定部
７６…結束フック
７７…固定ボス部
７８…ファン係止部
７９…通気穴
８０…冷却ファン
８１…基板係止ツメ
８２…非発熱性の回路部品
８３…取付ボス部（ファン取付部）
８３ａ…ねじ穴
８４…放熱板
８５…取付係止ツメ
８６…ボス穴
８７…ベース固定ねじ
８８…ケース固定ねじ
９１…ファン貫通穴
９２…発熱性の回路部品
９５…配線
１００…外箱
１００ａ…開口部
１０１…上面部
１０２…排水フィルタ用ドア
１０３…前面部
１０３ａ…第１平面部
１０３ｂ…上傾斜部
１０３ｃ…第２平面部
１０４…後面部
１０５…側板部
１０６…底台
【図１】
2019042334.tif 000003
【図２】
2019042334.tif 000004
【図３】
2019042334.tif 000005
【図４】
2019042334.tif 000006
【図５】
2019042334.tif 000007
【図６】
2019042334.tif 000008
【図７】
2019042334.tif 000009
【図８】
2019042334.tif 000010
【図９】
2019042334.tif 000011
【図１０】
2019042334.tif 000012
【図１１】
2019042334.tif 000013
【図１２】
2019042334.tif 000014